(57)【要約】      （修正有）【課題】狭い領域で細かい雑草抜きに適する様に小型化し、雑草を根元から引き抜きかつ数本纏めて引抜き出来る草取り具を提供する。【解決手段】草取り具は、取手部２と、引抜歯部３を有し、引抜歯部は、先端の拡開溝部６と、拡開溝部に連なる切条溝部８で構成し、切条溝部で、草の茎を抱持する構成とした。切条溝部８で、草の茎を抱持することで、狭い箇所（畝の作物の隙間、又は植木鉢の狭い箇所等）の草取り、細かい雑草の如く、最も必要とする草取り（雑草抜き）を確実に行うことができる。さらに、切条溝部８で、草の茎を抱持することで、雑草を、根元から、確実、かつ簡易に引抜くことができる。【選択図】図１
0003182807.tif 000002
【実用新案登録請求の範囲】
【請求項１】
草取り具本体の一方に取手部を、他方に引抜歯部を有する草取り具であり、
この引抜歯部を、先端の拡開溝部と、この拡開溝部に連なる切条溝部で構成し、この切条溝部で、草の茎を抱持する構成とした草取り具。
【請求項２】
請求項１に記載の草取り具であって、
前記引抜歯部を、先端の三角形状の拡開溝部（拡開誘導溝部）と、この拡開溝部に連なる細溝形状の切条溝部（切条引抜溝部）で構成した草取り具。
【請求項３】
請求項２に記載の草取り具であって、
前記拡開溝部は、先端間が広く、基部間に収れん部を有する、三角形状とし、茎を取込誘導可能とする構成した草取り具。
【請求項４】
請求項１に記載の草取り具であって、
前記切条溝部は、先端から基部が、同じ切条幅とし、かつこの先端から基部に亙る深さを確保することで、複数本の茎を取込誘導可能とする構成した草取り具。
【請求項５】
請求項１に記載の草取り具であって、
前記本体は、取手部を、引抜歯部を有する構造とするとともに、この取手部と、この引抜歯部を繋ぐ、本体連結部位を曲面形状とし、当該引抜歯部の先端が、前記取手側に向かう構成とした草取り具。
【考案の詳細な説明】
【技術分野】
【０００１】
本考案は、雑草を、根元から引抜き、かつ数本を纏めて引抜きできる草取り具に関する。
【背景技術】
【０００２】
田畑、園芸用として、草取り具が市販されており、かつ同様な草取り具が、先行文献として、挙げられるので、この先行文献を基に、従来の草取り具を説明する。
【０００３】
例えば、実開平６−５０４０１号公報に記載の構造であり、一方にハンドルを、他方に溝孔状切欠を備えた刃部を有する草取り器であり、根元から引抜き可能とする構成である。しかしながら、本体が杆状部で、刃部が板状部でなる構成であり、この杆状部から板状部の繋ぎの構造が明確でないことから、製造面での課題が考えられる。また、製造にコストが掛かると考えられる。さらに、刃部には、内側に刃を備えた構造であり、根元を、溝孔状切欠に誘導する前に、切断する虞があり、雑草を根元を引抜くことができないと考えられる。
【０００４】
また、実開平７−１３１１４号公報に記載の構造であり、多数の櫛歯を備えた雑草除去具であり、櫛歯で、雑草を根元から、引抜く構成であり、広い範囲での利用には、有効である。しかしながら、狭い領域（畝の作物、又は植木鉢等）とか、細かい雑草とかのように、最も必要とする草取り（雑草抜き）には、不向きであることと、器材が大型となり、取扱いに問題があると考えられる。
【０００５】
【特許文献１】実開平６−５０４０１号公報
【特許文献２】実開平７−１３１１４号公報
【考案の概要】
【考案が解決しようとする課題】
【０００６】
上記に鑑み、本考案は、「イ」として、「引抜歯部は、先端の拡開溝部と、拡開溝部に連なる切条溝部で構成し、切条溝部で、草の茎を抱持する構成」とすることで、狭い箇所（畝の作物の隙間、又は植木鉢の狭い箇所等）の草取り、細かい雑草の如く、最も必要とする草取り（雑草抜き）を確実に行うことである。「ロ」として、「引抜歯部を、複数条の拡開溝部、及び切条溝部で構成し、この切条溝部で、草の茎を抱持する構成」とすることで、雑草を、根元から、確実、かつ簡易に引抜くようにする。「ハ」として、「切条溝部を長くする構成」として、多数本の雑草の茎を、この切条溝部に取込誘導し、一度に多数本の草取りを行い、効率的な作業をする。「ニ」として、「拡開溝部は、先端間が広く、基部間が収れんされた、三角形状とし構成」として、拡開溝部から、切条溝部に向かって、雑草を誘導する。「ホ」として、「切条溝部が、同じ幅で、長さを有する構成」として、多数本の雑草の茎を、この切条溝部に取込誘導し、一度に多数本の草取りを行い、効率的な作業をする。「ヘ」として、「取手部と、引抜歯部を繋ぐ、本体連結部位を曲面形状とし、引抜歯部の先端が、取手側に向かう構成」として、地面に沿って、草取り作業をできるので、力と経験を要さず、簡易かつ確実に草取りを行って、効率的な作業をする。
【課題を解決するための手段】
【０００７】
前述の「イ」〜「ヘ」を達成するために、請求項１〜５を提供する。
【０００８】
請求項１は、草取り具本体の一方に取手部を、他方に引抜歯部を有する草取り具であり、
この引抜歯部を、先端の拡開溝部と、この拡開溝部に連なる切条溝部で構成し、この切条溝部で、草の茎を抱持する構成とした草取り具である。
【０００９】
請求項２は、請求項１に記載の草取り具であって、
前記引抜歯部を、先端の三角形状の拡開溝部（拡開誘導溝部）と、この拡開溝部に連なる細溝形状の切条溝部（切条引抜溝部）で構成した草取り具である。
【００１０】
請求項３は、請求項２に記載の草取り具であって、
前記拡開溝部は、先端間が広く、基部間が収れんされた、三角形状とし、茎を取込誘導可能とする構成した草取り具である。
【００１１】
請求項４は、請求項１に記載の草取り具であって、
前記切条溝部は、先端から基部が、同じ切条幅とし、かつこの先端から基部に亙る深さを確保することで、複数本の茎を取込誘導可能とする構成した草取り具である。
【００１２】
請求項５は、請求項１に記載の草取り具であって、
前記本体は、取手部を、引抜歯部を有する構造とするとともに、この取手部と、この引抜歯部を繋ぐ、本体連結部位を曲面形状とし、当該引抜歯部の先端が、前記取手側に向かう構成とした草取り具である。
【考案の効果】
【００１３】
請求項１の考案の草取り具は、草取り具本体は、取手部と、引抜歯部を有し、引抜歯部は、先端の拡開溝部と、拡開溝部に連なる切条溝部で構成し、切条溝部で、草の茎を抱持する構成とした。従って、「イ」の切条溝部で、草の茎を抱持することで、狭い箇所（畝の作物の隙間、又は植木鉢の狭い箇所等）の草取り、細かい雑草の如く、最も必要とする草取り（雑草抜き）を確実に行うことができる。「ロ」の「切条溝部で、草の茎を抱持することで、雑草を、根元から、確実、かつ簡易に引抜くことができる。
【００１４】
請求項２の考案の草取り具は、引抜歯部を、先端の三角形状の拡開溝部（拡開誘導溝部）と、拡開溝部に連なる細溝形状の切条溝部（切条引抜溝部）で構成した。従って、「ハ」の切条溝部を長くすることで、多数本の雑草の茎を、この切条溝部に取込誘導し、一度に多数本の草取りを行い、効率的な作業ができる。
【００１５】
請求項３の考案の草取り具は、拡開溝部は、先端間が広く、基部間が収れんされた、三角形状とし、茎を取込誘導可能とする構成とした。従って、「ニ」の拡開溝部から、切条溝部に向かって、雑草を誘導できる。
【００１６】
請求項４の考案の草取り具は、切条溝部は、先端から基部が、同じ切条幅とし、かつ先端から基部に亙る深さを確保する構成とした。従って、「ホ」の切条溝部が、同じ幅で、長さを有することで、多数本の雑草の茎を、この切条溝部に取込誘導し、一度に多数本の草取りを行い、効率的な作業ができる。
【００１７】
請求項５の考案の草取り具は、本体の取手部と、引抜歯部を繋ぐ、本体連結部位を曲面形状とし、引抜歯部の先端が、取手側に向かう構成とした。従って、「ヘ」の取手部と、引抜歯部を繋ぐ、本体連結部位を曲面形状とし、引抜歯部の先端が、取手側に向かう構成」として、地面に沿って、草取り作業をできるので、力と経験を要さず、簡易かつ確実に草取りを行って、効率的な作業ができる。
【図面の簡単な説明】
【００１８】
【図１】本考案の一例を示した俯瞰斜視図
【図２】本考案の一例を示した仰視斜視図
【図３】本考案の使用状態の一例を示した俯瞰斜視図
【図４】（ａ）は、本考案の一例で、引抜歯部が三列である要部の仰視斜視図、（ｂ）は、本考案の一例で、引抜歯部が四列である要部の仰視斜視図、（ｃ）は、本考案の一例で、引抜歯部が五列である要部の仰視斜視図
【図５】本考案の一例を示した要部の側面図
【図６】本考案の（ｃ）の要部の正面図
【図７】本考案の（ｃ）の要部の背面図
【図８】本考案の他の一例を示した俯瞰斜視図
【考案を実施するための形態】
【００１９】
本考案の一例の全体を示した、図１俯瞰斜視図と、図２仰視斜視図において、草取り具Ａは、一枚板でなる箆（ヘラ）形状の本体１と、この本体１の一方１ａに取手部２を、他方１ｂに膨出状に曲折した（曲面形状）本体連結部位１１を経由して設けた引抜歯部３（引掻歯部）を有する。取手部２は、本体１の一方１ａに設けられており（嵌着一体化）されており、樹脂製とし、軽量化と、手への馴染み等を確保する。また、括れ部２ａを設け、把持し易く、かつ美感向上を図る形態となっている。取手部２は、多色形態とし、カラバリエィションを備える。図中２ｂは引掛け部であり、吊下げ支持用、紐係止用等として利用する。また、図８の如く、貫通孔２ｃの構造もあり得る。
【００２０】
また、前記引抜歯部３は、三角形状の複数本の歯５と、この歯５間に形成される拡開溝部６と、この拡開溝部６に連なる切条溝部８で構成する。
【００２１】
この複数本の歯５は、各歯５間に、拡開溝部６（雑草Ｗ用の拡開誘導溝部であり、空間である）を形成する。この拡開溝部６は、誘導部としての役割を担うことから、歯５の先端５ａ（自由端）間が広くなり、歯５の基端５ｂ（奥）が狭くなった収れん部７となる。歯５の基端５ｂは、後述する、切条溝部８（切条引抜溝部）に連なる。歯５は、原則として、本体１と同じ肉厚形状とすることで、雑草Ｗの茎切断回避と、製造容易化、低コスト化、又は怪我防止等を図る。引抜歯部３は、この例では、五に分離された歯５であるので、拡開溝部６（四つの雑草Ｗ用誘導部）となっている。五に分離された歯５は、一例で有る。従って、図４（ａ）に示した三歯５、図４（ａ）に示した四歯５と、図４（ｃ）に示した六歯５とか、又は、図示しない、七刃等に分離された歯５も含まれる。拡開溝部６の数は、三歯５では、二つ、四歯５では、三つ、六歯５では、五つとなる。また、拡開溝部６を、先端を広く、基端を狭くすることで、雑草Ｗを多く集めた後に、収束し、整然と、拡開溝部６の収れん部７に誘導できる。そして、この例では、歯５は、特殊な形状とする。中心の歯５が、二等辺三角形状とし、両側の歯５が、外側に振れた変形三角形状とし、さらに両端の歯５が、直角三角形状とした構造であり、この歯５の左右外側は、直線となっている。歯５の製造容易化と、強度の確保、並びに前記の如く、歯５幅Ｘ全体で、雑草Ｗを多く集めること、又は整然と、切条溝部８に誘導すること等にある。
【００２２】
また、切条溝部８は、先端（拡開溝部６との繋がり部位）から基部（奥８ｃ）が、同じ略１ｍｍの切条幅８ａ（溝幅）を有し、かつ先端が拡開溝部６の収れん部７に連なり、また、先端から基部の、略同じ深さ８ｂ（長さ）であって、この深さ８ｂは、拡開溝部６長手方向Ｙの長さと略同じ長さを有する。従って、図３の如く、この切条幅８ａと深さ８ｂを備えた構造であるので、拡開溝部６で集めた多くの雑草Ｗの茎Ｗ１を、順次、列設した状態で、切条溝部８の奥８ｃに取込む構造である。そのために、深さ８ｂが必要となり、例えば、前述の如く、拡開溝部６長手方向Ｙの長さと略同じ長さを有する。これで、多くの雑草Ｗの茎Ｗ１を集めて抱持する。この抱持した雑草Ｗは、取手部２を持って、引上げることで、一気に根元Ｗ２から引抜く（取除く）ことが可能となる。
【００２３】
また、この歯５と切条溝部８でなる引抜歯部３は、本体１に対して、角度を備える。例えば、２０°〜５０°で、望まくは、図５のように、３０°〜４０°程度の曲面形状とすることで、図３のように、多くの雑草Ｗの茎Ｗ１を集めて抱持できる。また雑草の引抜作業（草取り作業）の容易化と、力と経験を要さず、簡易かつ確実に草取りができ、かつ効率的な作業ができる。この草取り作業は、刃１０を地面ＧＬに沿ってスライドすることで、雑草Ｗの茎Ｗ１を、拡開溝部６間に取込み、かつ収れん部７に誘導できる。この誘導した雑草Ｗは、前述の如く、切条溝部８の奥８ｃに取込まれる。その後は、前述の通りである。また、この曲面形状は、本体１に弾性強度の付与と、スライド移動確保と、並びに手に対する衝撃緩和等に有効である。
【００２４】
草取り具Ａで、雑草Ｗを引抜く方法の一例を説明すると、図３の如く、取手部２を把持し、刃１０を地面ＧＬに沿ってスライドする。このスライドで、拡開溝部６の先端６ａの拡がりで、雑草Ｗの茎Ｗ１を、効率的に取込み（拡がり分の雑草Ｗを取込みできる）、その基端６ｂ（奥）の狭い隙間（収れん部７）に導く。そして、草取り具Ａを、さらにスライドすることで、この取込まれた雑草Ｗは、切条溝部８の先端８ｄから、順次、列設した状態で、その奥８ｃに取込まれる。この取込んだ雑草Ｗは、前述の如く、抱持状態にあることから、草取り具Ａを引上げることで、抱持した雑草Ｗを、根元Ｗ２から、一気に引抜くことができる。
【００２５】
図８は、本考案の他の一例を示した俯瞰斜視図であり、本体１の他方１ｂにフラットでなる本体連結部位１１を経由して設けた引抜歯部３である。この引抜歯部３の構造は、前述の例に準ずる。また、他の構造も、前述の例に準ずる。
【００２６】
前述した各構造は、本考案の好ましい一例の説明である。従って、本考案は上述した各実施例に限定されるものではなく、考案の趣旨の範囲において構成の一部を変更する構造とか、同じ特徴と効果を達成できる構造、等は、本考案の範疇である。
【符号の説明】
【００２７】
１          本体
１ａ        一方
１ｂ        他方
１１        本体連結部位
２          取手部
２ａ        括れ部
２ｂ        引掛け部
２ｃ        貫通孔
３          引抜歯部
５          歯
５ａ        先端
５ｂ        基端
６          拡開溝部（拡開誘導溝部）
６ａ        先端
６ｂ        基端
７          収れん部
８          切条溝部（切条引抜溝部）
８ａ        切条幅
８ｂ        深さ
８ｃ        奥
８ｄ        先端
Ａ          草取り具
Ｗ          雑草
Ｗ１        茎
Ｗ２        根元
Ｙ          長手方向
【図１】
0003182807.tif 000003
【図２】
0003182807.tif 000004
【図３】
0003182807.tif 000005
【図４】
0003182807.tif 000006
【図５】
0003182807.tif 000007
【図６】
0003182807.tif 000008
【図７】
0003182807.tif 000009
【図８】
0003182807.tif 000010